(57)【要約】【課題】  作業用手袋において、重量物などによって指が打撃、押圧されても、指を保護することができるとともに、良好な作業性が得られるようにする。【解決手段】  手を覆う手袋本体２と衝撃吸収性を有する防護パッド３Ａ、３Ｂ、３Ｃ、３Ｄ、３Ｅとを備え、それらの防護パッド３Ａ、３Ｂ、３Ｃ、３Ｄ、３Ｅが、手袋本体２の手の甲側方向外側で指を覆う位置にある背側指部２Ａ、２Ｂ、２Ｃ、２Ｄ、２Ｅに、指が、折り曲げが可能となる状態で設けられた構成とする。【選択図】      図１
2006225782.tif 000002
【特許請求の範囲】
【請求項１】
手を覆う手袋本体と、
衝撃吸収性を有する防護部材とを備え、
前記防護部材が、前記手袋本体の手の甲側方向外側で少なくとも指を覆う位置に、該指の折り曲げが可能となる状態で設けられたことを特徴とする作業用手袋。
【請求項２】
前記防護部材が、
可撓性を有する発泡体から構成されることを特徴とする請求項１に記載の作業用手袋。
【請求項３】
前記防護部材の表面を覆うとともに、指が折り曲げ可能な状態となるように設けられた保護板を備えることを特徴とする請求項１または２に記載の作業用手袋。
【請求項４】
前記防護部材の厚さが、該防護部材が覆う指の先端側および根元側において中間部よりも薄い構成とされていることを特徴とする請求項１〜３のいずれかに記載の作業用手袋。
【発明の詳細な説明】
【技術分野】
【０００１】
本発明は、作業用手袋に関する。例えば、作業時に指が打撃されたり押圧されたりする可能性がある作業を行う際などに、作業者の安全を確保するための作業用手袋に関する。
【背景技術】
【０００２】
従来、手で物を取り扱う際に手の滑りを防止したり、高熱の物を取り扱う際に火傷を負うことを防止したりするための作業用手袋が用いられている。例えば、軍手、滑り止め付軍手などのように厚手の丈夫な生地からなり、素手で作業を行う場合に比べて、擦り傷、汚れ、火傷、手の滑りなどを防止することができるものが知られている。
また、刃物やガラス片で切り傷、刺し傷などを負うことを防止するための防護用手袋が用いられている。
例えば、特許文献１には、耐切創性と可撓性とを有する補強部材を備え、切創から手指を保護するとともに着用時の指先の操作性にも優れる防護用手袋が記載されている。
また特許文献２には、警察官の手を刃物による攻撃から保護するために、ジャージー織りなどの特殊繊維の手袋に金属製連鎖状鎖体を取り付けた防刃手袋が記載されている。
また特許文献３には、通常の作業用手袋をした上から装着される、親指と人差し指とを保護するための作業手袋用補強カバーが記載されている。
【特許文献１】特開２００２−１２９４１７号公報（第４−６頁、図１）
【特許文献２】特開平８−２９１４０５号公報（第２頁、図１）
【特許文献３】実開平７−４３４４８号公報（第３−４頁、図１−３）
【発明の開示】
【発明が解決しようとする課題】
【０００３】
しかしながら、上記のような従来の作業用手袋には、以下のような問題があった。
従来の作業用手袋は、素手で作業を行う場合に比べて、擦り傷、汚れ、火傷、手の滑りなどを防止できるものの、指が打撃されたり、強い力で挟まれたり、押圧されたりする場合には、保護できないという問題がある。例えば内容物が充填されたドラム缶などの金属缶、金属ボンベなどの重量物容器を手で扱う作業を行う場合などに、指の打撲や骨折などを防止することができないという問題がある。
例えば、内容物が充填された金属缶、金属ボンベなどの重量物を扱う場合、質量１８０ｋｇ〜２００ｋｇといった慣性の大きなものを転動させて搬送したり並べたりする必要があり、それらを取り扱う際に間に手を挟まれたりして、手に大きな衝撃力が加わる場合がある。このような衝撃力は手袋を厚手にする程度で保護することは困難であった。
また、従来の防護用手袋を作業用に用いることも考えられるが、例えば、特許文献１、２に記載の技術は、切創や刃物による攻撃から手指を保護するものであって、いずれの場合も、手袋に衝撃力や圧力が加えられると略減衰されることなく手や指に伝達されるので、手指の打撲や骨折などを防止することができないという問題がある。
また、特許文献３に記載の技術では、通常の作業用手袋をしていても親指や人差し指を保護することができるものの、指の太さに合わせて装着できる構成が示されているのみで、指の折り曲げ、曲げ伸ばし動作、指間の間隔を可変する動作などが、円滑に行えない形態が記載されている。
したがって、作業上よく動かす指の保護には適用しがたいという問題がある。作業手袋用補強カバーを手袋の材質と同程度に柔軟な材質から形成することも考えられるが、その場合補強性が著しく減退するので、擦れなどを防止することはできても、手指の打撲や骨折などを防止することができなくなるという問題がある。
【０００４】
本発明は、上記のような問題に鑑みてなされたものであり、例えば重量物などによって指が打撃、押圧されても、指を保護することができるとともに、良好な作業性が得られる作業用手袋を提供することを目的とする。
【課題を解決するための手段】
【０００５】
上記の課題を解決するために、本発明の作業用手袋は、手を覆う手袋本体と、衝撃吸収性を有する防護部材とを備え、前記防護部材が、前記手袋本体の手の甲側方向外側で少なくとも指を覆う位置に、該指の折り曲げが可能となる状態で設けられた構成とする。
このような構成によれば、手が手袋本体により保護され、手の甲側方向外側から指を覆うように設けられた衝撃吸収性を有する防護部材により保護される。つまり、柔軟な組織が少なく衝撃力や押圧力による打撲、骨折を起こしやすい手の甲側の指が外力から保護される。
また、防護部材は指が折り曲げ可能に設けられるから、良好な作業性が得られる。
【０００６】
ここで、指が折り曲げ可能となるように設けられた防護部材としては、例えば、防護部材が可撓性を備えた材質からなる構成や、指の関節と対応する位置に屈曲可能部を設けた構成や、１本の指上で防護部材を複数配置し指の関節上に相当する位置で分離された構成などが挙げられる。
【発明の効果】
【０００７】
本発明の作業用手袋によれば、衝撃吸収性を有する防護部材が、少なくとも手の甲側から指を覆うともに指が折り曲げ可能となるように設けられるので、例えば重量物などによって指が打撃、押圧されても、指を保護することができるとともに、良好な作業性が得られるという効果を奏する。
【発明を実施するための最良の形態】
【０００８】
また、本発明の作業用手袋は、前記防護部材が、可撓性を有する発泡体から構成されることが好ましい。
この場合、防護部材が可撓性を有する発泡体から構成されるので、指の屈曲に沿って撓むことができる。そのため、指の関節部も関節部の間と同様に保護されるので、良好な作業性を確保しつつ安全性を向上することができる。
また、防護部材が発泡体からなるため、軽量な作業用手袋とすることができる。
【０００９】
また、本発明の作業用手袋は、前記防護部材の表面を覆うとともに、指が折り曲げ可能な状態となるように設けられた保護板を備えることが好ましい。
この場合、作業用手袋に作用する外力が保護板を介して防護部材に分散して伝達されるので、外力の集中から指を保護することができる。また防護部材の耐久性を向上することができる。
保護板の材質としては、例えば適宜の強度を有する合成樹脂板や金属板などが採用できる。金属板としては、軽量化が容易なアルミ板を採用することがより好ましい。
【００１０】
また、本発明に係る作業用手袋は、前記防護部材の厚さが、該防護部材が覆う指の先端側および根元側において中間部よりも薄い構成とされていることが好ましい。
この場合、指の先端側から中間部にかけて、防護部材の厚さが増加するとともに、指の中間部から根元側にかけて防護部材の厚さが減少する。そのため、作業時に防護部材の端部のひっかかりが低減されるので作業性を向上することができる。
また、作業用手袋の上から外手袋を着脱することが容易となるので、防護部材や手袋本体を保護するために外手袋を装着して作業を行うことが容易となる。
【００１１】
以下では、本発明の実施例について添付図面を参照して説明する。すべての図面において、実施例が異なる場合であっても、同一または相当する部材には同一の符号を付し、共通する説明は省略する。
【実施例１】
【００１２】
本発明の第１実施例の作業用手袋について説明する。
図１は、本発明の第１実施例に係る作業用手袋の概略構成について説明するための模式的な斜視説明図である。図２（ａ）は、本発明の第１実施例に係る作業用手袋を装着した場合の指の長手方向に沿う断面説明図である。図２（ｂ）は、同じく第１実施例に係る作業用手袋を装着して指を曲げた場合の指の長手方向に沿う断面説明図である。
なお、図２（ａ）、（ｂ）は、第２指の例で描いているが、他の指でも同様の位置関係にある。ただし、第１指の場合には、関節の数を減らして対応させることは言うまでもない。後述の図４、６も同様である。
【００１３】
本実施例の作業用手袋１は、例えば重量物を手で取り扱う作業を行う場合などのように、作業者の指が打撃されたり、重量物により押圧されたり、重量物同士の間に挟み込まれたりする恐れがある作業に好適なものである。
その概略構成は、図１に示すように、手袋本体２と、防護パッド３Ａ、３Ｂ、３Ｃ、３Ｄ、３Ｅ（防護部材）とからなる。図１は、右手用の手袋を示しており、紙面手前側に手の甲が向く状態で装着されるようになっている。
【００１４】
手袋本体２は、５本の指を用いて作業ができるように、第１指から第５指までを個別に収める指袋が形成され、手首から先の手の全体を覆うことができる５本指手袋である。すなわち、手の甲側から指を覆う背側指部２Ａ、２Ｂ、２Ｃ、２Ｄ、２Ｅと、手のひら側から指を覆う腹側指部２ａ、２ｂ、２ｃ、２ｄ，２ｅ（図２（ａ）参照）とがそれぞれ対向して、第１指から第５指までを個別に収める指袋が形成されているものである。
甲部２Ｆは、手袋本体２のうち、手の甲を覆う部分を示す。図示しないが、裏面側に甲部２Ｆに対向して、指以外の手のひらを覆う部分が設けられている。
手袋本体２は、作業に適する強度の素材であればどのような材質で形成されていてもよく、糸で編まれた編み物状のもの、布を縫製したもの、合成皮革や不織布などを縫製したり接ぎ合わせたりしたもの、合成ゴムや合成樹脂などを成形したものなどが採用できる。
本例では、例えば木綿などの太めの糸で織られた厚手の軍手を採用している。
【００１５】
本明細書では、指に関連した部位・部材の名称には、第１指から第５指に対応させて、アルファベット順にＡ〜Ｅ、またはａ〜ｅの添字を対応させるものとする。例えば、背側指部２Ｂ、腹側指部２ｂは、第２指、すなわち人差し指を覆う部位である。
また、簡潔のため、例えば、「３Ａ、３Ｂ、３Ｃ、３Ｄ、３Ｅ」などのアルファベット順の並びを「３Ａ〜Ｅ」などと略記する場合がある。
【００１６】
防護パッド３Ａ〜Ｅは、手袋本体２の外側にそれぞれ背側指部２Ａ〜Ｅ上を略覆うように設けられた略直方体形状の衝撃吸収材である。そして、例えば、図２（ａ）に示すように、指４の先端側では爪の一部を覆い、指４の根元側では、指４の付け根近くまで覆うように設けられ、対応する背側指部２Ａ〜Ｅの長さに応じて長手方向の長さが異なっている。
防護パッド３Ａ〜Ｅの厚さは、指を保護するために必要な衝撃吸収特性を備えるとともに、装着時に指の折曲げに支障が出ないような厚さとされる。
防護パッド３Ａ〜Ｅを手袋本体２に取り付けるには、防護パッド３Ａ〜Ｅと手袋本体２との材質に応じて適宜の手段を採用することができるが、例えば、接着後可撓性を有する接着剤、例えばゴム系接着剤などを用いた接着を採用することができる。
【００１７】
防護パッド３Ａ〜Ｅの材質は、衝撃吸収性有する衝撃吸収材、例えば、エラストマー、合成ゴムなどの発泡体を好適に採用することができる。
例えば、飽和型スチレン系熱可塑性エラストマーからなる低反発軟質発泡体であるピタフォーム（商品名）（（株）第一化学製）を好適に採用できる。本実施例では、表１のような物性値を有するものを、厚さ５．５ｍｍとして用いている。
【００１８】
【表１】
2006225782.tif 000003
【００１９】
表１の物性値は、一例であって、必要に応じて適宜の値を採用することができる。
例えば、衝撃吸収特性を規定する反発弾性は、１％〜１５％の範囲の値を、またより好ましくは、１％〜１０％の範囲の値を好適に採用できる。
【００２０】
本実施例では、腹側指部２ａ〜ｅ上または手のひらを覆う部分には、このような衝撃吸収材は設けていないが、必要に応じて滑り止めのためのゴム層、電気絶縁層、耐摩耗性を向上した補強層などを設けてもよい。
【００２１】
次に、本実施例の作用について説明する。以下では、代表して第２指の場合について説明する。ただし、他の指に関してもアルファベットの添字を対応する添字に読み替えるだけで、全く同様の作用を有するものである。
【００２２】
本実施例の作業用手袋１によれば、図２（ａ）に示すように、背側指部２Ｂ上に衝撃吸収性を有する防護パッド３Ｂが設けられているので、作業用手袋１の装着時に、指４の背側が保護される。
すなわち、重量物が作業者の手に当たり、衝撃的な外力が防護パッド３Ｂに作用すると、防護パッド３Ｂの衝撃吸収性により、圧縮変形する過程で衝撃エネルギーが減衰され、指４に伝達される衝撃負荷が低減される。
また、防護パッド３Ｂは圧縮変形しても、軟質層として背側指部２Ｂ上に残存するので、重量物の角部や側面などにより押圧される状態が続いても、指がそれらと触れたり、擦れたりして直接的な損傷を受けることもないものである。
【００２３】
そして、重量物から作業用手袋１が離されると、圧縮永久ひずみが残る分を除いて、防護パッド３Ｂの弾性が復元される。
本実施例に採用している材質は、表１に示すように、２０±２℃×２２時間、圧縮率２５％の条件下で、圧縮永久ひずみ率が４．１％ときわめて良好であり、短時間の衝撃力を受けただけでは、圧縮永久ひずみがほとんど残らない。そのため、衝撃力が中心となる作業時の防護用には繰り返し再使用することが可能となっている。
【００２４】
また、表１に示すような材質の発泡体は、柔軟であり可撓性を備え、良好な伸び特性を有する。また背側指部２Ｂとの接着も可撓性を損なわないように行われる。そのため、防護パッド３Ｂは、図２（ｂ）に示すように、指を曲げると関節部で上面側が伸びて、指４の動きとともに円滑に屈曲でき、指の折り曲げ動作が容易となるので、作業性が良好となる。
また、防護パッド３Ｂなどに発泡体を用いることにより、金属の防具などを設ける場合に比べて、軽量の作業用手袋１とすることができるので、作業時の疲労を低減することができ、作業性を向上することができる。
【００２５】
本実施例では、本発明者が多年にわたり重量物を扱う作業を観察して得た、次に述べるような知見に基づいて、防護パッド３Ｂを背側指部２Ｂに設けている。
本発明者の観察によれば、手を使う作業者は、作業対象を保持するなど、手のひらを作業対象に向けていることが多い。そのため、手から離れている他の重量物などが手にぶつかる場合、手の甲側の方向からぶつかる場合が多くなる。
手の甲側は、皮が薄く、手のひらと比べて衝撃吸収性を有する筋肉や脂肪が少なく、骨が表面近くに位置するため、衝撃力に弱くなっている。特に、手を重量物の間に挟み込む事故を観察すると、相対的に脆弱な手の甲の側の指が損傷される場合が多い。
手の甲そのものより指が損傷されやすいのは、作業者は、通常、主に指の部分を使って重量物を保持しているからである。また手を使って抱え持つような場合でも、作業者は危険を察知すると手を退避させようとするが、反応が遅れて間に合わない場合に先端側の指の部分が挟まれてしまうことが多い。
【００２６】
したがって、本実施例では、指を手の甲の側から衝撃吸収性を有する防護パッド３Ａ〜Ｅで保護することにより、指が脆弱な側から保護できるようになったおり、指のケガ、打撲、骨折などを防止できる。そのため、本実施例の作業用手袋１は、作業者の安全性を向上することができる。
【００２７】
次に、本実施例の作業用手袋１および後述する第２実施例の衝撃試験結果について説明する。表２は、本発明の第１〜３実施例に係る作業用手袋の衝撃試験結果である。
【００２８】
【表２】
2006225782.tif 000004
【００２９】
作業用手袋の耐衝撃性を調べるために、デュポン衝撃試験機を用いたＪＩＳ  Ｋ  ５４００に記載の試験方法を適用することとした。本試験は、先端に球面を持つ撃芯（金属の棒）と、その球面に合致する凹面を持つ受け台との間に試料として金属板をはさみ、一定の高さから一定荷重で撃芯を落とし、試料の損傷を観察するものである。
本来、金属板に塗られた塗料の膜強度を評価するためのものであるが、手袋の指の部分に、指の代用として金属板を入れ、その手袋に撃芯を落として、その金属板の屈曲度、凹度などの変形や、損傷を計測、観察することで、作業用手袋を通して指に加わる衝撃力の大きさの評価を行うこととした。
撃芯の球面の直径は１２．７ｍｍ（１／２インチ）、質量は５００ｇ、落下距離は３０ｃｍとした。金属板の形状は、短辺×長辺×厚さが、２０ｍｍ×１００ｍｍ×０．３ｍｍ、材質は缶用スズめっき板とした。
【００３０】
手指がドラム缶の取り扱い時に挟まれるときは、衝撃的に力が加わることが多いと思われるので、本試験方法で手袋の防護効果を良好に推定できると判断した。この場合、防護部材の厚さはどの指も共通なので、第３指の部分のみを用いて試験を行った。
【００３１】
結果評価スケールは、次のような５段階官能評価とした。
評価１は、金属板がはっきり球面状に変形し、衝撃をまともに受けている状態である。
評価２は、球面状に大きくくぼみ、評価１よりは変形が小さい状態である。
評価３は、やや球面がわかる程度にくぼみ、評価２よりは変形が小さい状態である。
評価４は、わずかなくぼみが見られる状態である。
評価５は、ほとんど変形していない状態である。
参考までに、金属板の屈曲角度と凹み深さの測定例（いずれも平均値）を挙げる。評価１では、屈曲角度が３５°、凹み深さが２．３ｍｍであった。評価２では、屈曲角度が２５°、凹み深さが１．９ｍｍであった。評価３では、屈曲角度が１３°、凹み深さが１．３ｍｍであった。評価４では、屈曲角度が５°、凹み深さが０．４ｍｍであった。
【００３２】
試験例１は、第１実施例に対応するもので、手袋本体２に軍手を使用した作業用手袋１の場合で、撃芯を防護部材側から落としている。防護部材は、厚さ５．５ｍｍ、材質は表１に記載のものを採用した。
試験例２は、後述する第２実施例に対応するもので、手袋本体６にスムス手袋を使用した手袋本体６の場合で、撃芯を防護部材側から落としている。防護部材は、厚さ５．５ｍｍ、材質は表１に記載のものを採用した。
試験例３は、後述する第２実施例の変形例に対応するもので、試験例２の作業用手袋５の上に外手袋８として軍手を装着した場合で、撃芯を防護部材側から落としている。
試験例４は、試験例３の外手袋８を装着した作業用手袋５を防護部材が受け台側に向けられ、撃芯を防護部材がない側から落としている。これは、第２実施例の変形例の手袋の着用時に指が挟まれた場合の手のひら側の安全性を試験するためである。
試験例５は、後述する第３実施例に対応するもので、手袋本体６にスムス手袋を使用した手袋本体６の場合で、撃芯を防護部材側から落としている。防護部材は、それぞれ厚さ３．５ｍｍのパッド下層部１２Ｃ、パッド上層部１３Ｃを重ねて貼り、その上に厚さ１．０ｍｍのアルミ板を金属保護板１４として設けている。各パッドの材質は表１に記載のものを採用した。
【００３３】
比較試験例１は、防護部材がない軍手を２枚重ねた場合である。これは従来現場でもよく行われている。
比較試験例２は、防護部材がないスムス手袋の上に軍手を着用した場合である。
【００３４】
表２に示すように、本評価試験結果によれば、第１実施例に対応する試験例１は、評価３となり、比較試験例１、２に比べて良好な安全性が得られた。
【実施例２】
【００３５】
次に、本発明の第２実施例の作業用手袋について説明する。
図３は、本発明の第２実施例に係る作業用手袋の概略構成について説明するための模式的な斜視説明図である。図４（ａ）は、本発明の第２実施例に係る作業用手袋を装着した場合の指の長手方向に沿う断面説明図である。図４（ｂ）は、同じく第２実施例に係る作業用手袋を装着して指を曲げた場合の指の長手方向に沿う断面説明図である。
なお、図３は、左手用の手袋を示しており、紙面手前側に手の甲が向く状態で装着されるようになっている。
【００３６】
本実施例の作業用手袋５は、第１実施例の作業用手袋１の手袋本体２、防護パッド３Ａ〜Ｅに代えて、手袋本体６、防護パッド７Ｂ、７Ｃ、７Ｄ、７Ｅ（防護部材）を備え、甲部防護パッド７Ｆ（防護部材）を追加したものである。つまり、第１指を覆う防護部材を備えず、指以外に手の甲を覆う防護部材を備える例となっている。
【００３７】
手袋本体６は、手袋本体２と同様に５本の指を用いて作業ができるように、第１指から第５指までを個別に収める指袋が形成され、手首から先の手の全体を覆うことができる５本指手袋である。すなわち、手の甲側から指を覆う背側指部６Ａ、６Ｂ、６Ｃ、６Ｄ、６Ｅと、手のひら側から指を覆う腹側指部６ａ、６ｂ、６ｃ、６ｄ，６ｅ（図４（ａ）参照）とがそれぞれ対向して、第１指から第５指までを個別に収める指袋が形成されているものである。
甲部７Ｆは、手袋本体６のうち、手の甲を覆う部分を示す。図示しないが、甲部７Ｆに対向して、指以外の手のひらを覆う部分が設けられている。
手袋本体６は、作業に適する強度の素材であればどのような材質で形成されてもよいが、本実施例では、指先で細かい作業が可能となるように、例えば軍手などに比べて薄手の布製の手袋、いわゆるスムス手袋を採用している。
【００３８】
防護パッド７Ｂ〜Ｅは、手袋本体６の外側にそれぞれ背側指部６Ｂ〜Ｅ上を略覆うように設けられた衝撃吸収材であり、図４（ａ）に示すように、指４の先端側では爪の一部を覆い、指４の根元側では、指４の付け根近くまで覆うように設けられ、対応する背側指部６Ｂ〜Ｅの長さに応じて長手方向の長さが異なっている。
そして、指４の先端側および指４の根元側に、それぞれの端部から中間部に向けて厚さが漸増する傾斜部７ｇ、７ｇが設けられている。すなわち、防護パッド７Ｂ〜Ｅは、指４の長手方向に沿う両端部が手袋本体６側に向けて傾斜した側面視台形状とされている。
防護パッド７Ｂ〜Ｅの中間部の厚さは、指を保護するために必要な衝撃吸収特性を備えるとともに、装着時に指の折曲げに支障が出ないような厚さとされる。
防護パッド７Ｂ〜Ｅの材質および取り付け手段は、第１実施例の防護パッド３Ａ〜Ｅと同様の材質および手段を採用することができる。
すなわち、防護パッド７Ｂ〜Ｅは、第１実施例の防護パッド３Ｂ〜Ｅの長手方向の両端部をカットして製作することができるものである。
【００３９】
甲部防護パッド７Ｆは、手の甲を略覆う範囲の甲部６Ｆ上に設けられた平面視略矩形状の衝撃吸収材である。その材質や取り付け手段は、防護パッド３Ａ〜Ｅと同様の材質や手段を採用できる。
ただし、甲部防護パッド７Ｆが覆う部分には、手の関節がないので、防護パッド７Ｂ〜Ｅより可撓性が劣る材質、形状を採用してもよい。
【００４０】
次に、本実施例の作用について、防護パッド７Ｂを例にとって説明する。以下に述べることは、添字を読み替えるだけで防護パッド７Ｃ〜Ｅにも同様に適用される。
本実施例の作業用手袋５によれば、図４（ａ）に示すように、背側指部６Ｂ上に衝撃吸収性を有する防護パッド７Ｂが設けられているので、作業用手袋５の装着時に、指４の背側が保護される。また、甲部防護パッド７Ｆにより、手の甲が保護されている。
また防護パッド７Ｂが可撓性を有するため、手袋本体６が薄手の材質で構成されることと相俟って、図４（ｂ）に示すように、指が折曲げやすくなり、作業性を向上することができる。
【００４１】
また、作業用手袋５は、外手袋を併用して使用するように変形する場合に好適となるという利点がある。
図４（ｃ）は、本発明の実施形態に係る第２実施例の変形例について説明するための指の長手方向に沿う断面説明図である。
【００４２】
作業用手袋５は、手袋本体６が薄手であるとともに、防護パッド７Ｂが指の長手方向の両端側に傾斜部７ｇ、７ｇを有するので、図４（ｃ）に示すように、作業用手袋５の上から、伸縮性を有する外手袋８、例えば軍手などを容易に装着することができる。すなわち、外手袋８を装着する場合、指の先端側の傾斜部７ｇのため、防護パッド７Ｂが外手袋８にひっかかりにくく迅速かつ容易に装着できる。また、外手袋８を取り外す場合、指の根元側の傾斜部７ｇのため、同様に迅速かつ容易に取り外すことができる。
このように、作業用手袋５の上から外手袋８を装着することにより、手が二重に保護されるので、安全性を向上することができる。
また、外手袋８は、例えば軍手など安価な手袋により作業用手袋５を汚れや損傷から守ることができるので、作業用手袋５の寿命を向上することができる。したがって、作業用手袋５の優れた衝撃吸収特性を有する高価な衝撃吸収材に採用する場合でも、長期間使用することができるので、寿命に比して安価な作業用手袋を提供することができるという利点がある。
【００４３】
外手袋８は、作業用手袋５と別体の手袋を使用するたびに着脱してもよいが、例えばボタン、ホック、および面状ファスナーを含む適宜のファスナーなどの着脱手段を介して作業用手袋５と一体化されていてもよい。
【００４４】
本実施例の作業用手袋は、表２に試験例２の結果として示すように、評価３となり、比較試験例１、２に比べて良好な安全性が得られた。
また、本実施例の変形例は、表２に試験例３の結果として示すように、評価４となり、比較試験例１、２に比べて良好な安全性が得られた。また、試験例１、２の結果と比べてもより良好な結果が得られた。
また、この場合、表２に試験例４の結果として示すように、防護部材と反対側の衝撃に対しては、試験例３よりわずかに劣る結果が得られた。ただし、比較試験例１よりも良好であった。これは、防護部材が背面側で衝撃を吸収しているためと考えられる。手のひらには、手の甲側と比べ、筋肉や脂肪が多いので、この程度の評価が得られれば、安全性に問題はないものである。
【実施例３】
【００４５】
次に、本発明の第３実施例の作業用手袋について説明する。
図５は、本発明の第３実施例に係る作業用手袋の概略構成について説明するための模式的な斜視説明図である。図６（ａ）は、本発明の第３実施例に係る作業用手袋を装着した場合の指の長手方向に沿う断面説明図である。図６（ｂ）は、同じく第３実施例に係る作業用手袋を装着して指を曲げた場合の指の長手方向に沿う断面説明図である。図６（ｃ）は、本発明の実施形態に係る第３実施例の変形例について説明するための指の長手方向に沿う断面説明図である。
なお、図５は、右手用の手袋を示しており、紙面手前側に手の甲が向く状態で装着されるようになっている。
【００４６】
本実施例の作業用手袋１０は、第２実施例の作業用手袋５の防護パッド７Ｂ〜Ｅに代えて、防護パッド１１Ｂ、１１Ｃ、１１Ｄ、１１Ｅ（防護部材）を備え、金属保護板１４…（保護板）を追加したものである。以下、第２実施例と異なる点を中心に説明する。
【００４７】
防護パッド１１Ｂ〜Ｅは、手袋本体６の外側にそれぞれ背側指部６Ｂ〜Ｅ上を略覆うように設けられた衝撃吸収材であり、図６（ａ）に示すように、指４の先端側では爪の一部を覆い、指４の根元側では、指４の付け根近くまで覆うように設けられ、対応する背側指部６Ｂ〜Ｅの長さに応じて長手方向の長さが異なっている。
以下、防護パッド１１Ｂを例にとって説明する。以下に述べることは、添字を読み替えるだけで防護パッド１１Ｃ〜Ｅにも同様に適用される。
【００４８】
防護パッド１１Ｂは、それぞれ、図６（ａ）に示すように、パッド下層部１２Ｂ、パッド上層部１３Ｂが、この順に、背側指部６Ｂ上に積層された層状構造を有する。
【００４９】
パッド下層部１２Ｂは、図５に示すように、平面視で角が丸められた矩形状もしくは長円状の衝撃吸収材であり、防護パッド３Ａなど同様の材質からなる。そして、防護パッド３Ａなどと同様の手段により取り付けられている。
【００５０】
パッド上層部１３Ｂは、パッド下層部１２Ｂと同材質で形成された衝撃吸収材である。そして、図５に示すように、長手方向がパッド下層部１２Ｂより短く、短手方向の幅がパッド下層部１２Ｂと同等もしくはわずかに狭く形成されており、パッド下層部１２Ｂと略同様の外形状を有する。そして、パッド下層部１２Ｂ上に、例えば接着などの可撓性を損なわない手段により貼り付けられている。
そのため、指の長手方向に沿う両端部に、両端部から中間部に向かう方向に厚さが増大する階段状の段状部１５、１５が形成されている。
【００５１】
金属保護板１４は、パッド上層部１３Ｂの表面を保護するための金属板であり、パッド上層部１３Ｂ上にわずかに隙間をあけて複数貼り付けられている。そして指４の関節上にそれらの隙間が来るように配置される。
例えば、本実施例では、図６（ａ）、（ｂ）に示すように、第２指に対応する防護パッド１１Ｂの場合、関節間に２枚ずつ金属保護板１４が貼り付けられている。
金属保護板１４の材質は、適宜の金属を用いることができるが、本実施例では、軽量とするために、厚さ１．０ｍｍのアルミ合金を採用している。
なお、本実施例では、部品を共通化するため、同形状の金属保護板１４を貼り付けているが、各指の関節間の長さの違いなどに応じて、形状の異なる金属保護板を設けてもよい。
【００５２】
次に、本実施例の作用について説明する。
本実施例の作業用手袋１０によれば、金属保護板１４により防護パッド１１Ｂなどが覆われているので、集中的な外力が作用しても金属保護板１４により分散されて防護パッド１１Ｂに伝達されるから、効率的に衝撃を吸収することができる。そのため、安全性が向上する。また、防護パッド１１Ｂに直接的な外力が作用しないので、防護パッド１１Ｂが保護され、耐久性が向上される。
【００５３】
また、指の関節上には、金属保護板１４、１４が隙間をあけて設けられ、指の関節が１枚の金属保護板１４により覆われることがないので、指を折り曲げやすくなっている。そのため良好な作業性が得られる（図６（ｂ）参照）。
【００５４】
また、本実施例では、防護パッド１１Ｂの端部に段状部１５、１５が形成されるので、第２実施例のように外手袋８を併用して使用する場合（図６（ｃ）参照）、段状部１５、１５がない場合に比べて外手袋８の装着、取り外しが容易となるという利点もある。したがって、第２実施例と同様に外手袋８を装着する場合に好適となる。
特に、パッド下層部１２Ｂ、パッド上層部１３Ｂの平面視の形状が角に丸みがあるかまたは端部が半円状とされるので、階段状であっても外手袋８と引っかかりにくくなり、円滑に脱着できるものである。
【００５５】
また、本実施例によれば、例えばシート状の部材から打ち抜きでパッド下層部１２Ｂ、パッド上層部１３Ｂを製造することができ、傾斜部７ｇを形成する場合のように、角部をカットする手間が省けるので、軟質の衝撃吸収材でも容易に加工でき、安価に製作できるという利点がある。
【００５６】
本実施例の作業用手袋は、表２に試験例５の結果として示すように、評価４となり、比較試験例１、２に比べて良好な安全性が得られた。また、試験例１、２の結果と比べてもより良好な結果が得られた。
【００５７】
なお、上記の説明では、防護部材の長さを指に合わせて変える例で説明したが、必要な衝撃力が吸収できれば、同一長さとして、部品の共通化を図ってもよい。
【００５８】
また、上記の説明では、第１実施例では、手の甲を覆う防護部材がなく、第２および第３実施例では、第１指を覆う防護部材がない例で説明したが、本発明の技術的思想の範囲であれば、各実施例の構成を自由に組み合わせて実施することができる。
したがって、作業の内容や取り扱う対象によっては、防護部材を設ける部位を必要に応じて選択することができる。
【００５９】
また、上記の説明では、防護部材の厚さが略一定の場合の例で説明したが、防護部材の厚さは一定に限定されるものではない。
例えば、指の関節上で厚さが薄くなるような構成としてもよい。図７（ａ）、（ｂ）に示すのは、このような変形例である。
この変形例の防護パッド１６Ｂは、その長手方向の中間部に、指４の関節に対応して、短手方向の横断するＶ字溝状の折曲げ部１７、１７（屈曲可能部）が形成されている。
したがって、図７（ｂ）のように、指４を折り曲げると、折曲げ部１７の溝底部が相対的に薄肉になっているために、容易に屈曲される。このように、本変形例によれば、衝撃吸収材として、可撓性に乏しい材質や発泡体以外の材質も採用することができるという利点がある。
【００６０】
また、上記の説明では、防護部材として厚さ方向の特性が一様である例で説明したが、厚さ方向の特性が変化する防護部材を採用してもよい。例えば、防護部材の表面側が相対的に強度や耐摩耗性が高い場合、保護板を設けなくても耐久性を向上することができる。また、防護部材の表面側の衝撃吸収性を大きくして、手袋本体側ほど高強度とすれば、表面側で効率的に衝撃を吸収するとともに、指の直上での安全性を増大することができる。
このような構成は、厚さ方向に特性値が分布した部材により実現してもよいし、第３実施例のパッド下層部１２Ｂなど、パッド上層部１３Ｂなどの材質を変えることにより実現してもよい。
【００６１】
また、上記の第３実施例では、防護部材が２層からなる例で説明したが、必要に応じて３層以上の構成としてもよい。
【００６２】
また、上記の説明では、保護板として、分割された複数の金属板を用いた例で説明したが、強度が十分であれば、金属板に限定される物ではなく、例えば合成樹脂などを採用してもよい。
また、指の折り曲げの支障とならなければ、複数に分割されている必要はない。例えば、折り曲げ可能なヒンジによりつながれていてもよい。
【００６３】
また、上記の説明では、手袋本体が、５本指手袋の場合の例で説明したが、作業の内容や取り扱う対象物によっては、指本数が異なる手袋やミトンを採用してもよい。外手袋は装着する場合では、外手袋も同様に適宜の形態を採用することができる。
【００６４】
上記の説明では、手袋本体が手の全体を覆う場合の例で説明したが、作業の内容や取り扱う対象物によっては、一部に穴が空いていてもよい。例えば、外手袋として、手のすべてを覆うものを採用する場合の内側の手袋本体は、一部が網状などの形態であってもよい。
【図面の簡単な説明】
【００６５】
【図１】本発明の第１実施例に係る作業用手袋の概略構成について説明するための模式的な斜視説明図である。
【図２】本発明の第１実施例に係る作業用手袋を装着した場合、および作業用手袋を装着して指を曲げた場合の指の長手方向に沿う断面説明図である。
【図３】本発明の第２実施例に係る作業用手袋の概略構成について説明するための模式的な斜視説明図である。
【図４】本発明の第２実施例に係る作業用手袋を装着した場合、および作業用手袋を装着して指を曲げた場合、および変形例として外手袋を装着した場合の指の長手方向に沿う断面説明図である。
【図５】本発明の第３実施例に係る作業用手袋の概略構成について説明するための模式的な斜視説明図である。
【図６】本発明の第２実施例に係る作業用手袋を装着した場合、および作業用手袋を装着して指を曲げた場合、および変形例として外手袋を装着した場合の指の長手方向に沿う断面説明図である。
【図７】本発明に係る防護部材の変形実施例について説明するための指の長手方向に沿う断面説明図である。
【符号の説明】
【００６６】
１、５、１０  作業用手袋
２、６  手袋本体
２Ａ、２Ｂ、２Ｃ、２Ｄ、２Ｅ  背側指部
２Ｆ、６Ｆ  甲部
３Ａ、３Ｂ、３Ｃ、３Ｄ、３Ｅ、７Ｂ、７Ｃ、７Ｄ、７Ｅ、１１Ｂ、１１Ｃ、１１Ｄ、１１Ｅ、１６Ｂ  防護パッド（防護部材）
４  指
７Ｆ  甲部防護パッド（防護部材）
７ｇ  傾斜部
８  外手袋
１２Ｂ、１２Ｃ、１２Ｄ、１２Ｅ  パッド下層部
１３Ｂ、１３Ｃ、１３Ｄ、１３Ｅ  パッド上層部
１４  金属保護板（保護板）
１５  段状部
１７  折曲げ部（屈曲可能部）
【図１】
2006225782.tif 000005
【図２】
2006225782.tif 000006
【図３】
2006225782.tif 000007
【図４】
2006225782.tif 000008
【図５】
2006225782.tif 000009
【図６】
2006225782.tif 000010
【図７】
2006225782.tif 000011